(57)【要約】【課題】他のジョブを実行している間に、これから実行するジョブに係る画像データとＨＤＤから読み出した付加画像データとを合成する場合、前記合成の終了までにかかる時間を短縮できる画像形成装置を提供する。【解決手段】画像形成装置１がジョブＸを実行する際に他のジョブＹが実行中でない場合（ジョブＸの単独実行）、当該実行するジョブＸに係る画像データと、ＨＤＤ１８の未圧縮付加画像データｄ１とを合成する。また、ジョブＸを実行する際に他のジョブＹが実行中の場合（複数ジョブの実行）、当該実行するジョブＸに係る画像データとＨＤＤ１８の圧縮付加画像データｄ２を伸張した付加画像データｄ１とを合成する。【選択図】図１
2010278877.tif 000002
【特許請求の範囲】
【請求項１】
実行するジョブに係る画像データと付加画像データとを合成し合成画像データを生成する処理を制御する合成制御部を備え、複数のジョブを同時に実行する画像形成装置において、
前記合成画像データを生成する処理を行うジョブを実行する際に、他のジョブが実行中であるか否かを検知するジョブ実行検知部と、
未圧縮の付加画像データと当該付加画像データが圧縮された圧縮付加画像データとを記録する記録媒体と、
前記記録媒体の圧縮付加画像データを伸張する付加画像データ伸張部とを備え、
前記合成制御部は、前記ジョブを実行する際に他のジョブが実行中でない場合、当該実行するジョブに係る画像データと前記未圧縮の付加画像データとを合成し、
前記ジョブを実行する際に他のジョブが実行中である場合、当該実行するジョブに係る画像データと前記圧縮付加画像データを伸張した付加画像データとを合成することを特徴とする画像形成装置。
【請求項２】
前記記録媒体には、前記未圧縮の付加画像データが複数の圧縮形式で圧縮された複数の圧縮付加画像データが記録され、
前記付加画像データ伸張部は、複数の圧縮形式で圧縮された複数の圧縮付加画像データをそれぞれ伸張できる複数の伸張部を備え、
前記合成制御部は、前記記録媒体に記録された前記複数の圧縮付加画像データの中から、伸張処理が行われていない伸張部が伸張できる圧縮付加画像データを選択することを特徴とする請求項１に記載の画像形成装置。
【請求項３】
前記合成後に、前記画像データと付加画像データとを合成したデータをプレビュー表示することを特徴とする請求項１又は２に記載の画像形成装置。
【発明の詳細な説明】
【技術分野】
【０００１】
本発明は、複数のジョブを同時に実行する機能を有する多機能型の画像形成装置に係り、特に、原稿画像データと地紋データ（ウォータマーク）等の付加画像データとを合成・印刷する画像形成装置に関する。
【背景技術】
【０００２】
機密文書などの不正複写を抑止するため、複写機により複写すると複写されたことを示す文字列（「コピー文書」等）が浮かび上がる特殊な印刷処理を施した印刷物を生成する印刷装置（画像形成装置）が特許文献１に開示されている。前記印刷物の生成（以下、「地紋印刷」と記す）は、例えば、原稿をスキャンすることによって生成された原稿画像データと前記文字列等（潜像画像）を含む地紋データとを合成し、合成データを印刷することによって行われる。
【０００３】
また、文字、図形などの背景（バックグランド）に「コピー厳禁」、「極秘」等の文字列が印刷された印刷物を生成する画像形成装置が特許文献２に開示されている。前記印刷物の生成（以下、スタンプ印刷と記す）は、例えば、原稿画像データと「コピー厳禁」、「極秘」等の文字列からなるスタンプ画像データとを合成し、合成データを印刷することによって行われる。
【０００４】
上記の地紋印刷やスタンプ印刷をするために必要となる地紋データやスタンプ画像データ等の付加画像データは、例えば、画像形成装置内の大容量記録装置（ＨＤＤ：Hard Disk Drive）に記録されている。
【先行技術文献】
【特許文献】
【０００５】
【特許文献１】特開２００６−３１５４０３号公報
【特許文献２】特開２００５−２１２１２０号公報
【発明の概要】
【発明が解決しようとする課題】
【０００６】
ところで、周知のように、ＨＤＤに記録されたデータを当該ＨＤＤから読み出す処理にかかる時間は、半導体メモリなどの高速読出可能な記録媒体に記録されたデータを当該記録媒体から読み出す処理にかかる時間に比べて非常に長い。
特に、画像形成装置が複数のジョブ、例えば、コピージョブ、プリントジョブ、ファクシミリジョブ等を同時に実行する場合、ＨＤＤに対するアクセス回数が増加（ＨＤＤへの負荷増大）するので、データの読出時間がさらに長くなる。
【０００７】
それ故、ファクシミリジョブ等を実行中に、ＨＤＤに記録された付加画像データを読み出して、読み出した付加画像データと原稿画像データとを合成・印刷する処理を実行すると、このデータの読み出し処理がいわゆるボトルネックになり、前記ファクシミリジョブの実行終了までの時間及び前記印刷処理が終了するまでの時間が長くなる。
【０００８】
付加画像データを半導体メモリなどの高速読出可能な記録媒体に記録すれば、前記データの読出し時間が短くなるが、当該記録媒体の残容量が少なくなってしまう。
【０００９】
本発明は、かかる実情に鑑みてなされたものであり、他のジョブを実行している間に、これから実行するジョブに係る画像データとＨＤＤから読み出した付加画像データとを合成する場合、前記合成の終了までにかかる時間を短縮できる画像形成装置を提供することを目的とする。
【課題を解決するための手段】
【００１０】
第１の技術手段は、実行するジョブに係る画像データと付加画像データとを合成し合成画像データを生成する処理を制御する合成制御部を備え、複数のジョブを同時に実行する画像形成装置において、前記合成画像データを生成する処理を行うジョブを実行する際に、他のジョブが実行中であるか否かを検知するジョブ実行検知部と、未圧縮の付加画像データと当該付加画像データが圧縮された圧縮付加画像データとを記録するＨＤＤ（Hard Disk Drive）などの記録媒体と、前記記録媒体の圧縮付加画像データを伸張する付加画像データ伸張部とを備え、前記合成制御部は、前記ジョブを実行する際に他のジョブが実行中でない場合、当該実行するジョブに係る画像データと前記未圧縮の付加画像データとを合成し、前記ジョブを実行する際に他のジョブが実行中である場合、当該実行するジョブに係る画像データと前記圧縮付加画像データを伸張した付加画像データとを合成することを特徴とする画像形成装置である。
【００１１】
第２の技術手段は、第１の技術手段において、前記記録媒体には、前記未圧縮の付加画像データが複数の圧縮形式で圧縮された複数の圧縮付加画像データが記録され、前記付加画像データ伸張部は、複数の圧縮形式で圧縮された複数の圧縮付加画像データをそれぞれ伸張できる複数の伸張部を備え、前記合成制御部は、前記記録媒体に記録された前記複数の圧縮付加画像データの中から、伸張処理が行われていない伸張部が伸張できる圧縮付加画像データを選択するものである。
【００１２】
第３の技術手段は、第１又は第２の技術手段において、前記合成後に、前記画像データと付加画像データとを合成したデータをプレビュー表示するものである。
【発明の効果】
【００１３】
本発明の画像形成装置は、安価なＨＤＤに付加画像データを記録しても、他のジョブを実行している間に、これから実行するジョブに係る画像データとＨＤＤから読み出した付加画像データとを合成する場合、前記合成の終了までにかかる時間を短縮できる。また、画像形成装置の製造コストを上げることなく、ユーザの利便性が向上する。
【図面の簡単な説明】
【００１４】
【図１】本発明に係る画像形成装置の機能ブロック図である。
【図２】未圧縮付加画像データ及び圧縮付加画像データをＨＤＤに記録した状態を模式的に示した図である。
【図３】Ａ４サイズの付加画像データ（未圧縮）のデータ容量及び当該画像データのＨＤＤからの読出時間と、前記画像データをＪＢＩＧ形式、ＭＭＲ形式で圧縮した場合のデータ容量及び当該圧縮した画像データのＨＤＤからの読出時間を示した表である。
【図４】動作周波数２００MHzの圧縮伸張部が、ＪＢＩＧ形式、ＭＭＲ形式で圧縮された画像データを伸張する処理にかかる時間を示した表である。
【図５】本発明の合成処理について説明するフロー図である。
【発明を実施するための形態】
【００１５】
図１は、本発明に係る画像形成装置１の機能ブロック図である。画像形成装置１は、後述するように、コピージョブ、プリントジョブ、ファクシミリジョブ等の複数のジョブを同時に実行できる機能を備えている。
【００１６】
１１は、ネットワークＩ／Ｆで、インターネット、ローカルネットワーク等のネットワークＮに対するインターフェイス機能を提供し、当該ネットワークＮに接続しているファクシミリ装置（図示せず）、ＰＣ（図示せず）とデータ送受信を実行する。
【００１７】
１２は、表示パネル、テンキー等から構成され、画像形成装置１を操作する操作パネル、１３は、ＡＤＦ等を備えたスキャナ部である。
【００１８】
１４は、画像処理部で、スキャナ部１３によって生成された原稿画像データ（以下、画像データと記す）等に、ユーザによって設定された印刷条件に基づく画像処理などを施す。
【００１９】
１５は、前記印刷条件に基づいた画像形成を実行する画像形成部、１６は、ファクシミリデータの通信処理に係る各種データ処理を実行するファクシミ通信部、１７は、ＯＳＤデータや各種制御情報などを記憶するメモリである。
【００２０】
１８は、記録媒体、例えば、ＨＤＤで、スキャナ部１３が生成した画像データ、ファクシミリ装置や、ＰＣ等から送信された印刷用の画像データを記録する。前記画像データは、印刷指示など必要に応じて、読み出されて印刷される。なお、前記画像データは、所定の圧縮形式で圧縮されている場合があるが、このような場合、後述の圧縮伸張部によって伸張される。
【００２１】
また、ＨＤＤ１８には、未圧縮の付加画像データ（以下、未圧縮付加画像データと記す）ｄ１と、圧縮伸張部（後述）が当該未圧縮付加画像データｄ１を圧縮することにより生成した圧縮付加画像データｄ２等が記録されている。
【００２２】
２１は、ジョブ実行検知部で、画像データと未圧縮付加画像データｄ１とを合成し合成画像データを生成する処理を行うコピージョブ、プリントジョブ、又は、ファクシミリジョブ等のジョブＸを実行する際に他のジョブＹが実行中であるか否かを検知する。
【００２３】
ここでコピージョブとは、コピー処理に係る各種処理、プリントジョブとは、ネットワークＩ／Ｆ１１を介してＰＣ等から受信したプリントデータの印刷処理に係る各種処理、ファクシミリジョブとは、ネットワークＩ／Ｆ１１を介してファクシミリ装置との間で行うファクシミリデータの通信処理に係る各種処理を意味する。
【００２４】
また、以後の説明では、ジョブＸとは、画像データと付加画像データとを合成し合成画像データを生成する処理を行うコピージョブ、プリントジョブ、又は、ファクシミリジョブを意味する。
そして、他のジョブＹとは、画像データと付加画像データとを合成し合成画像データを生成する処理を行うコピージョブ等（ジョブＸ）だけでなく、当該処理を実行しないコピージョブ等を意味する。
【００２５】
２２は、データ圧縮伸張部（付加画像データ伸張部）で、未圧縮のデータを例えばＪＢＩＧ（Joint Bi-level Image experts Group）やＭＭＲ（Modified Modified Read）等の圧縮形式で圧縮し圧縮データを生成・圧縮データを伸張し未圧縮のデータを生成する。データ圧縮伸張部２２は、データをＪＢＩＧ形式で圧縮・ＪＢＩＧ形式で圧縮された圧縮データを伸張するＪＢＩＧ圧縮伸張部２２ａ、データをＭＭＲ形式で圧縮・ＭＭＲ形式で圧縮された圧縮データを伸張するＭＭＲ圧縮伸張部２２ｂを備える。
このように、データ圧縮伸張部２２は、複数の圧縮形式で圧縮された複数の圧縮付加画像データをそれぞれ伸張できる複数の伸張部を備えている。
なお、データ圧縮伸張部２２は、ファクシミリ通信におけるファクシミリデータの圧縮・伸張処理に必要な機能ブロックであり、本発明が適用される多機能の画像形成装置に装備されている。
【００２６】
２３は、合成制御部で、画像形成装置１がジョブＸを実行する際に他のジョブＹが実行中でない場合（ジョブＸの単独実行）、当該実行するジョブＸに係る画像データと、ＨＤＤ１８の未圧縮付加画像データｄ１とを合成し合成画像データを生成する処理を制御する。また、ジョブＸを実行する際に他のジョブＹが実行中の場合（複数ジョブの実行）、当該実行するジョブＸに係る画像データとＨＤＤ１８の圧縮付加画像データｄ２を伸張した付加画像データｄ１とを合成し合成画像データを生成する処理を制御する。なお、詳細については、後述する。
【００２７】
２４は、制御部で、複数のジョブを同時に実行する処理を制御し、また、各機能ブロックの動作制御を行う。
【００２８】
次に、合成制御部２３が実行する、ジョブＸに係る画像データとＨＤＤ１８の未圧縮付加画像データｄ１又は同圧縮付加画像データｄ２を伸張した付加画像データとの合成処理について、図２を用いて詳細に説明する。
【００２９】
図２は、未圧縮付加画像データｄ１及び圧縮付加画像データｄ２をＨＤＤ１８に記録した状態を模式的に示した図である。
５１、５２は、印刷文字・図形の背景（バックグランド）に「コピー厳禁」、「極秘」等の文字を付加（印刷）するための付加画像データが未圧縮状態でＨＤＤ１８に記録されている状態を模式的に示したものである。
【００３０】
５１ａ、５２ａは、未圧縮付加画像データ５１、５２をＪＢＩＧ形式で圧縮したデータがＨＤＤ１８に記録されている状態を模式的に示したもので、５１ｂ、５２ｂは、未圧縮付加画像データ５１、５２をＭＭＲ形式で圧縮したデータがＨＤＤ１８に記録されている状態を模式的に示したものである。
【００３１】
このように、ＨＤＤ１８には、未圧縮付加画像データ（５１／５２）が複数の圧縮形式で圧縮された複数の圧縮付加画像データ（５１ａ、５１ｂ／５２ａ、５２ｂ）が記録されている。
【００３２】
以下、ユーザが画像形成装置１に文字や図形の背景に「コピー厳禁」等の背景文字が印刷された印刷物を出力する指示を行う場合を例示して本発明の内容を詳細に説明する。
【００３３】
（単独ジョブの実行）
まず、ユーザが、例えば、画像形成装置１のＡＤＦにコピー用原稿をセットして、操作パネル１２を操作し、「コピー厳禁」という背景文字（図２の符号５１参照）が印刷されたコピー印刷物の出力を指示する。すると、スキャナ部１３は、前記コピー用原稿をスキャンし、当該原稿の画像データを生成する。
【００３４】
次に、ジョブ実行検知部２１は、画像形成装置１がプリントジョブ、ファクシミリジョブ等の他のジョブＹを実行しているか否かを検知する。ここでは、画像形成装置１は、他のジョブＹを実行していないとする。
【００３５】
すると、合成制御部２３は、ＨＤＤ１８に記録された未圧縮付加画像データｄ１（図２の符号５１）を読み出し、当該データｄ１とスキャナ部１３が生成したコピー用原稿の画像データとを合成し、合成画像データを生成する。前記生成された合成画像データは、画像形成部１５によって画像形成され、印刷出力される。
【００３６】
（複数ジョブの実行）
ジョブ実行検知部２１が、画像形成装置１が他のジョブＹを実行していることを検知した場合には、合成制御部２３は、ＨＤＤ１８に記録された圧縮付加画像データｄ２（例えば、図２の符号５１ａ又は５１ｂ）を読み出し、データ圧縮伸張部２２に当該データｄ２を出力する。前記データｄ２を受信したデータ圧縮伸張部２２は、当該データｄ２を伸張した付加画像データｄ１（図２の符号５１）を生成し、合成制御部２３に出力する。
【００３７】
前記合成制御部２３は、伸張された付加画像データｄ１とスキャナ部１３が生成したコピー用原稿の画像データとを合成し、合成画像データを生成する。前記生成された合成画像データは、画像形成部１５によって画像形成され、印刷出力される。なお、図２で説明したように、ＨＤＤ１８にはＪＢＩＧ形式又はＭＭＲ形式で圧縮された圧縮付加画像データ（符号５１ａ又は符号５１ｂ）が記録されているが、この場合、何れか一方の圧縮付加画像データを伸張する。
【００３８】
以下、上記の合成制御処理により、ジョブの実行時間が短縮される理由について図３及び図４を用いて説明する。
図３は、Ａ４サイズの付加画像データ（未圧縮）のデータ容量及び当該画像データのＨＤＤからの読出時間と、前記画像データをＪＢＩＧ形式、ＭＭＲ形式で圧縮した場合のデータ容量及び当該圧縮した画像データのＨＤＤからの読出時間を示した表である。
【００３９】
図４は、動作周波数２００MHzのデータ圧縮伸張部２２が、ＪＢＩＧ形式、ＭＭＲ形式で圧縮された前記画像データを伸張する処理にかかる時間を示した表である。
【００４０】
ジョブＸを実行する際に他のジョブＹが実行中の場合に（複数ジョブ実行）、これから実行するジョブＸに係る画像データと未圧縮付加画像データを合成する処理を実行すると、当該合成を行うために、当該未圧縮付加画像データをＨＤＤ１８から読み出す処理を実行する。この処理を終了する迄に、最短で３３２msecかかる。
【００４１】
これに対し、本発明の画像形成装置１は、ジョブＸを実行する際に他のジョブＹが実行中の場合には、前述したように、これから実行するジョブＸに係る画像データと圧縮付加画像データを伸張した付加画像データとを合成する。このために、圧縮付加画像データをＨＤＤ１８から読み出し、読み出したデータを伸張する。この処理が終了する迄に、ＪＢＩＧ圧縮の場合、最大２０３（３＋２００）msec、ＭＭＲ圧縮の場合、最大１６５．５（９９＋６６．５）msecかかる。
これは、前述した、未圧縮付加画像データをＨＤＤ１８から読み出す処理にかかる時間（最短３３２msec）よりはるかに短時間である。
【００４２】
このように、ジョブＸを実行する際に他のジョブＹが実行中の場合（複数ジョブ実行）、当該ジョブＸの実行において、画像データと圧縮付加画像データを伸張した付加画像データとを合成することで、合成処理時間を大幅に短縮することができる。
【００４３】
また、ジョブＸを実行する際に他のジョブＹが実行中の場合、ＨＤＤ１８に記録された複数の圧縮付加画像データの中から、伸張処理が行われていない伸張部が伸張できる圧縮付加画像データを選択してもよい。
例えば、画像形成装置１が、他のジョブＹとして、ＭＭＲ形式で圧縮されたファクシミリデータの受信処理を行っている場合、当該ファクシミリデータはデータ圧縮伸張部２２のＭＭＲ圧縮伸張部２２ｂによって伸張されている。
このような場合に、ジョブＸの実行において、ＨＤＤ１８のＭＭＲ形式で圧縮された付加画像データをＭＭＲ圧縮伸張部２２ｂで伸張すると、当該伸張部２２ｂの処理負荷が増大する。
【００４４】
そこで、画像形成装置１がジョブＸを実行する場合、合成制御部２３は、ＨＤＤ１８に記録された圧縮付加画像データの中から、処理が行われていないＪＢＩＧ圧縮伸張部２２ａが伸張できるＪＢＩＧ圧縮形式の圧縮付加画像データを選択し、ＪＢＩＧ圧縮伸張部２２ａに選択した圧縮付加画像データを出力し、当該データを伸張させる。
上記選択処理を可能にするためには、ＪＢＩＧ圧縮伸張部２２ａ又はＭＭＲ圧縮伸張部２２ｂの中から圧縮伸張処理が行われていない圧縮伸張部を検知する検知部を合成制御部２３に設ければよい。
【００４５】
ジョブＸを実行する際に他のジョブＹが実行中でない場合には（単独ジョブ実行）、当該実行するジョブＸに係る画像データと未圧縮画像データｄ１を合成する理由を以下に説明する。
例えば、画像形成装置１が、前記ジョブＸの実行中（例えば、ＪＢＩＧ圧縮伸張部２２ａを使用してデータを伸張中）に、バックグラウンドでＪＢＩＧ圧縮伸張部２２ａ、ＭＭＲ圧縮伸張部２２ｂが圧縮処理を開始することがある。このような場合、ＪＢＩＧ圧縮伸張部２２ａの処理負荷が増大し、当該圧縮伸張部２２ａにおける処理が遅くなる。
それ故、単独ジョブの実行の場合には、伸張処理を行わなくて済むように、当該実行するジョブに係る画像データと未圧縮画像データｄ１を合成する。
【００４６】
なお、図３において、複数ジョブ実行時のＨＤＤ読出時間が、単数ジョブ実行時のＨＤＤ読出時間に比べて２倍〜３倍に長くなるのは、複数ジョブを実行するためにデータの記録・読出処理などＨＤＤに対して頻繁にアクセス（重畳アクセス）が実行されるからである。
【００４７】
本発明の合成処理について図５のフロー図を用いて説明する。
まず、画像形成装置１がジョブＸを実行しようとすると（ステップＳ１）、ジョブ実行検知部２１は、他のジョブＹが実行中であるか否かを検知する（ステップＳ２）。
【００４８】
他のジョブＹが実行中であることを検知した場合（ステップＳ２／ＹＥＳ）、合成制御部２３は、前記他のジョブＹの実行処理において、圧縮伸張処理が行われていない圧縮伸張部（ＪＢＩＧ圧縮伸張部２２ａ、ＭＭＲ圧縮伸張部２２ｂ）を検知する（ステップＳ３）。
【００４９】
合成制御部２３が、圧縮伸張処理が行われていない圧縮伸張部を検知した場合（ステップＳ３／ＹＥＳ）、合成制御部２３は、ＨＤＤ１８に記録された圧縮付加画像データの中から当該圧縮伸張部が伸張できる形式で圧縮された圧縮付加画像データを選択し、ＨＤＤ１８から当該データを読み出して、データ圧縮伸張部２２に出力する（ステップＳ４）。
【００５０】
データ圧縮伸張部２２は、受信した圧縮付加画像データの圧縮形式に基づき、当該圧縮付加画像データを伸張し、合成制御部２３に出力する（ステップＳ５）。
合成制御部２３は、受信した付加画像データ（伸張済み）と実行するジョブＸに係る画像データとを合成する（ステップＳ６）。その後、合成画像データは、画像形成される。なお、実行するジョブＸがファクシミ送信の場合には、前記合成画像データは、ファクシミリ送信される。
【００５１】
合成制御部２３が、圧縮伸張処理が行われていない圧縮伸張部を検知できなかった場合、つまり、ＪＢＩＧ圧縮伸張部２２ａ及びＭＭＲ圧縮伸張部２２ｂで圧縮伸張処理が行われている場合（ステップＳ３／ＮＯ）、ＪＢＩＧ圧縮伸張部２２ａ、ＭＭＲ圧縮伸張部２２ｂにおける圧縮伸張処理が終了するまで待つ。
【００５２】
ステップＳ２で、他のジョブＹが実行中でない場合（ステップＳ２／ＮＯ）、合成制御部２３は、ＨＤＤ１８に記録された未圧縮付加画像データを読み出し、当該データとジョブＸに係る画像データとを合成する（ステップＳ７）。
【００５３】
このように、本発明に係る画像形成装置１は、ファクシミリ通信処理を実行する上で必要なデータ伸張部を有効活用するので、製造コストが上昇することもない。
【００５４】
（その他）
上記の実施例では、実行するジョブＸとして、コピージョブを例示したが、プリントジョブ、ファクシミリジョブであっても、同様の合成処理を実行する。
付加画像データの圧縮形式としては、他にも、ＰＮＧ（Portable Network Graphics）、ＪＰＥＧ（Joint Photographic Experts Group）等の圧縮形式を利用することができる。
ジョブＸに係る画像データと付加画像データとを合成後に、合成データを操作パネル１２の表示パネルにプレビュー表示できるようにしてもよいし、また、ＨＤＤ１８に記録（ドキュメントファイリング）してもよい。
【符号の説明】
【００５５】
１…画像形成装置、１１…ネットワークＩ／Ｆ、１２…操作パネル、１３…スキャナ部、１４…画像処理部、１５…画像形成部、１６…ファクシミ通信部、１７…メモリ、１８…ＨＤＤ、２１…ジョブ実行検知部、２２…データ圧縮伸張部、２２ａ…ＪＢＩＧ圧縮伸張部、２２ｂ…ＭＭＲ圧縮伸張部、２３…合成制御部、２４…制御部、５１，５２，ｄ１…未圧縮付加画像データ、５１ａ，５１ｂ，５２ａ，５２ｂ，ｄ２…圧縮付加画像データ。
【図１】
2010278877.tif 000003
【図２】
2010278877.tif 000004
【図３】
2010278877.tif 000005
【図４】
2010278877.tif 000006
【図５】
2010278877.tif 000007